(57)【要約】【課題】建物の壁面等に設けられた点検口を閉塞する点検口蓋の取付構造を簡単に構成すると共に、特別の道具を不要として簡単に点検口の開閉作業を行うことができ、点検口蓋や壁面を損傷したり汚したりすることなく、美観を確保することができる点検口の開閉構造を提供する。【解決手段】点検口蓋は点検口枠の開口部を閉塞する板部材からなり、点検口枠は、該点検口枠の内周後端に沿って内側に張出した支持部と、該支持部の上面に固定して点検口蓋の周縁を弾性的に支持する弾性部材と、支持部の外周に沿って立ち上げられた外側部の途中に内側を向いて張出した内側張出部と、外側部の上端に沿って回動自在に取付けられたヒンジ部を支点として開閉動作する開閉枠とを有し、開閉枠を閉じることによって開閉枠の内周縁部で点検口蓋の周縁を弾性部材の弾性力に抗して押圧すると共に、開閉枠の内側に設けられたフック部を支持部に設けられた引掛部に引掛けて固定する。【選択図】図１
2011144610.tif 000002
【特許請求の範囲】
【請求項１】
壁面に設けられた開口部の内周縁に取付ける点検口枠と該点検口枠に着脱自在に取付ける点検口蓋とからなる点検口の開閉構造において、
点検口蓋は点検口枠の開口部を閉塞する板部材からなり、
点検口枠は、該点検口枠の内周後端に沿って内側に張出した支持部と、該支持部の上面に固定して点検口蓋の周縁を弾性的に支持する弾性部材と、支持部の外周に沿って立ち上げられた外側部の途中に内側を向いて張出した内側張出部と、外側部の上端に沿って回動自在に取付けられたヒンジ部を支点として開閉動作する開閉枠とを有し、
該開閉枠を閉じることによって開閉枠の内周縁部で点検口蓋の周縁を弾性部材の弾性力に抗して押圧すると共に、開閉枠の内側に設けられたフック部を支持部に設けられた引掛部に引掛けて固定するようにしたことを特徴とする点検口の開閉構造。
【請求項２】
弾性部材は折曲形成又は湾曲形成した弾性板バネであって、該板バネを支持部の上面に固定したことを特徴とする請求項１記載の点検口の開閉構造。
【請求項３】
弾性部材は円筒形コイルバネであって、該コイルバネを支持部の上面に固定した円柱片の外周に装着するようにしたことを特徴とする請求項１記載の点検口の開閉構造。
【請求項４】
弾性部材は円錐形コイルバネであって、該コイルバネの細径側に挿入したネジを支持部の上面から捩じ込んで固定したことを特徴とする請求項１記載の点検口の開閉構造。
【請求項５】
弾性部材は伸縮性を有する弾性スポンジであって、該スポンジの片面を支持部の上面に固定したことを特徴とする請求項１記載の点検口の開閉構造。
【発明の詳細な説明】
【技術分野】
【０００１】
本発明は、建物の壁面等に設けられた点検口を点検口蓋で開閉するようにした点検口の開閉構造に関する。
【背景技術】
【０００２】
従来から、建物の壁面内部を点検するために設けられた点検口は、通常、点検口蓋で閉塞することにより、安全性を図り、また壁面の美観を保つようにしている。このような点検口蓋は、点検口内を点検する際には開き、点検を終了した後には閉じる必要がある。従って、点検口の開閉構造は、点検口蓋を開閉する際の作業性や安全性に影響を与えるものであり、従来から種々の形態のものが開発されている。
【０００３】
そこで、このような点検口の開閉構造に関する従来の技術について検討する。
【０００４】
特許文献１に記載されているものは、バネ式点検口蓋に関するものであり、点検口の左右又は上下に線バネ用止め金具を設ける一方、点検口を閉塞する蓋部材に二股状の線バネが設けられた構造を有する。このような構造において、点検口に蓋部材を取り付ける際には、蓋部材側の線バネを点検口側の止め金具に設けられた挿着穴に挿入した後、線バネが二股状に広がることによって挿着穴の係止部に係止され、取付け作業を安全に行うことが可能となる。その反面、点検口蓋に設ける二股状の線バネや、点検口側に設ける止め金具等が必要であり、構成部品の点数が多くなるという不都合がある。
【０００５】
また、特許文献２に記載されている構造は、点検口の内周に設けられる支持部から外側方向に突設されると共にヒンジ部を支点にして揺動可能に支持された背面側の壁材挟持板を有し、表面側の口蓋挟持板をヒンジ構造で開閉することによって点検口蓋を開閉するという簡単な構造を有する。ところが、閉じた点検口蓋を開くとき、点検口蓋と口蓋挟持板との間に差し込むための先の尖った道具を必要とするほか、この道具を使用する際、点検口蓋の表面を傷つけたり、壁面を汚したりすることがある等の不都合がある。
【先行技術文献】
【特許文献】
【０００６】
【特許文献１】実用新案登録第３１４８９１７号公報
【特許文献２】特開２０００−１７９１４１号公報
【発明の概要】
【発明が解決しようとする課題】
【０００７】
本発明は、上記の事情に鑑みてなされたもので、建物の壁面等に設けられた点検口を閉塞する点検口蓋の取付構造を簡単に構成すると共に、特別の道具を不要として簡単に点検口の開閉作業を行うことができ、この開閉作業の際に、点検口蓋や壁面を損傷したり、汚したりすることなく、壁面や点検口蓋の美観を確保することができる点検口の開閉構造を提供することを目的とする。
【課題を解決するための手段】
【０００８】
上記の目的を達成するために、本発明における請求項１の点検口の開閉構造は、壁面に設けられた開口部の内周縁に取付ける点検口枠と該点検口枠に着脱自在に取付ける点検口蓋とからなる点検口の開閉構造において、点検口蓋は点検口枠の開口部を閉塞する板部材からなり、点検口枠は、該点検口枠の内周後端に沿って内側に張出した支持部と、該支持部の上面に固定して点検口蓋の周縁を弾性的に支持する弾性部材と、支持部の外周に沿って立ち上げられた外側部の途中に内側を向いて張出した内側張出部と、外側部の上端に沿って回動自在に取付けられたヒンジ部を支点として開閉動作する開閉枠とを有し、該開閉枠を閉じることによって開閉枠の内周縁部で点検口蓋の周縁を弾性部材の弾性力に抗して押圧すると共に、開閉枠の内側に設けられたフック部を支持部に設けられた引掛部に引掛けて固定するようにしたことを特徴とする。
【０００９】
また、本発明における請求項２の点検口の開閉構造は、請求項１において、弾性部材は折曲形成又は湾曲形成した弾性板バネであって、該板バネを支持部の上面に固定したことを特徴とする。
【００１０】
また、本発明における請求項３の点検口の開閉構造は、請求項１において、弾性部材は円筒形コイルバネであって、該コイルバネを支持部の上面に固定した円柱片の外周に装着するようにしたことを特徴とする。
【００１１】
また、本発明における請求項４の点検口の開閉構造は、請求項１において、弾性部材は円錐形コイルバネであって、該コイルバネの細径側に挿入したネジを支持部の上面から捩じ込んで固定したことを特徴とする。
【００１２】
さらに、本発明における請求項５の点検口の開閉構造は、請求項１において、弾性部材は伸縮性を有する弾性スポンジであって、該スポンジの片面を支持部の上面に固定したことを特徴とする。
【発明の効果】
【００１３】
本発明の点検口の開閉構造によれば、点検口枠に装着した点検口蓋の周縁を点検口枠の支持部に固定された弾性部材で弾性的に支持すると共に、点検口蓋の周縁を開閉枠で押さえ付ける簡単な構造によって、点検口枠に取付けた点検口蓋にガタが生じない構造とすることができる。しかも、本発明における点検口蓋は、板部材からなるものであって、外枠のない非常に簡単な構成からなり、この板部材の表面に周囲の壁面と同様の壁紙を貼ることによって、壁面と同様の美観を確保することも可能である。
【００１４】
また、点検口蓋を取り外す際に、点検口蓋を弾性部材の弾性力に抗して前面から後方へ押込み、それによって生じた開閉枠と点検口蓋との隙間に指を差し入れて開閉枠を持ち上げることにより、開閉枠は、該開閉枠のフック部と支持部の引掛部との引掛け状態から解除される。こうして、特別の道具を用いることもなく、手動で簡単に点検口の開閉作業を行うことができ、壁面や点検口蓋を損傷したり、汚したりすることなく、簡単に点検口蓋を取り外し、点検口を開放状態にすることが可能となる。
【００１５】
さらに、点検口を点検口蓋で閉塞する際には、点検口枠の内周に点検口蓋を装着し、各開閉枠を閉じることによって、各開閉枠で点検口蓋の周縁を押さえつけたとき、点検口蓋の周縁が弾性部材の弾性力で各開閉枠側へ押圧される。これによって、点検口蓋は各開閉枠の内側にガタのない状態で密着し、各開閉枠と点検口蓋とに隙間のない状態として、点検口の美観も保たれることとなる。
【図面の簡単な説明】
【００１６】
【図１】本発明の実施例による点検口枠に点検口蓋を取り付ける工程を示す平面図であり、(ａ)は点検口枠の平面図、（ｂ）は点検口枠の各開閉枠を開いて点検口蓋を装着している状況を示す平面図、（ｃ）は点検口蓋を装着して点検口枠の各開閉枠を閉じた状況を示す平面図、（ｄ）は（ｂ）のＡ−Ａ矢示線に沿う拡大断面図である。
【図２】本発明の実施例による点検口枠に点検口蓋を取付ける状況を示す部分断面斜視図であり、(ａ)は開閉枠を開いた状態を示し、（ｂ）は開閉枠を閉じた状態を示す。
【図３】本発明の実施例による点検口枠に点検口蓋を取付けた断面状況を示し、図１(ｃ)のＢ−Ｂ矢示線に沿う断面図である。
【図４】(ａ)〜（ｄ）は、本発明の実施例に係る点検口枠に設ける弾性部材の各種態様を示す図であり、(ａ) 〜（ｄ）の各図において右方に点検口枠の正面状況、左方に点検口枠の断面図状況を示す。
【図５】(ａ)〜(ｅ)は、本発明の実施例に係る弾性部材として板バネを用いた場合の各種態様を示す正面図であり、夫々の図において、板バネと点検口枠の支持部と点検口蓋とネジのみを示す。
【発明を実施するための形態】
【００１７】
以下、本発明の実施例について図面を参照しながら説明する。
【実施例】
【００１８】
本実施例の点検口の開閉構造は、図１（ａ）〜(ｄ)に示すように、建築物等の壁面に設けられた開口部１０の内周縁に取付ける点検口枠１と該点検口枠１に着脱自在に取付ける点検口蓋２とからなるものである。
【００１９】
このような本実施例の点検口の開閉構造について詳細に述べる。図１（ａ）、（ｂ）に示すように、本実施例の点検口蓋２は壁面に設けられた開口部１０の内周形状に応じた形状、即ち平面形状が四角形を成す板部材からなる。この点検口蓋２の材質としては、木材を繊維化すると共に熱圧成型してなる木質材料、或は紙材料を圧縮成型してなる合板、その他の材料を利用することが可能である。また、点検口蓋２の片面又は両面には建築物の壁面に適する壁紙が貼られている。この点検口蓋２は、外枠のない板部材のみのからなり、板部材の表面に周囲の壁面と同様の壁紙を貼ることによって、壁面と同様の美観を確保することができる。
【００２０】
また、本実施例における点検口枠１の構造は、図１（ａ）、（ｂ）、（ｄ）に示すように、四辺を成す点検口枠１の内周に沿って内側に張出した平板状の支持部３が設けられ、点検口枠１の四辺の各支持部３、３…によって点検口蓋２の周縁を支持することが可能である。なお、図１(ａ)に示すように、点検口枠１の各支持部３、３…には、その隅部ごとに補強用のコーナー板１８が固定され、夫々のコーナー板１８にはネジ穴１９が形成され、このネジ穴１９に、図１（ｂ）に示すように、ネジ２０が下地材２１（図３参照）等に捩じ込まれることによって固定することが可能である。
【００２１】
また、図１（ｄ）に示すように、点検口枠１は、支持部３の外周に沿って立ち上げられた外側部４の途中に内側を向いて張出した内側張出部５が形成され、点検口枠１の四辺をなす各内側張出部５、５…によって、点検口枠１に取付けた点検口蓋２の外周側部を四方から抑えることが可能である（図３参照）。
【００２２】
また、図１（ｄ）に示すように、点検口枠１の外側部４の上端には外方を向いて張出した外側張出部６が設けられ、この外側張出部６の外周端部に形成された立上辺７には、点検口枠１の外周上部に沿って回動自在に取付けられたヒンジ部８を支点として開閉動作する開閉枠９が設けられている。なお、ヒンジ部８は軟質合成樹脂等の可撓性を有する素材によって形成されている。
【００２３】
さらに、開閉枠９の内側の途中にフック部１１が設けられると共に、外側部４の上端には引掛部１２が設けられ、開閉枠９のフック部１１を外側部４の引掛部１２に引掛けることによって開閉枠９を閉じた状態をロックすることができるようにしている。
【００２４】
さらに、本実施例においては、図１（ａ）、（ｂ）に示すように、四辺の支持部３、３…のうち、対向する少なくとも２辺、又は３辺、或は４辺において、所定の支持部３の上面に弾性部材１３が固定され、図２（ａ）、（ｂ）に示すように、点検口枠１の開口部１０に装着された点検口蓋２の周縁を弾性的に支持するようにしている。
【００２５】
上記の構成により、図１（ｂ）に示すように、点検口枠１の各開閉枠９、９…を開いて点検口蓋２を装着した後、図１（ｃ）に示すように、点検口枠１の各開閉枠９、９…を閉じることによって、点検口枠１の開口部１０を点検口蓋２で閉塞することができる。
【００２６】
このとき、図２（ｂ）に示すように、開閉枠９を閉じて、開閉枠９のフック部１１を外側部４の引掛部１２に引掛けた状態にしたとき、弾性部材１３は開閉枠９の押圧方向へ圧縮され、弾性部材１３の弾力に抗して開閉枠９で点検口蓋２の周縁を押え付けることによって、点検口蓋２の周縁が弾性部材１３の弾性力で各開閉枠９側へ押し出される。これによって、点検口蓋２は各開閉枠９の内側にガタのない状態で密着する。
【００２７】
上記の実施例において、弾性部材１３としては伸縮性のある弾性スポンジ１４（図４（ｄ）参照）を使用することも可能であるが、弾性スポンジ１４は経年劣化が激しいものであるため、弾性部材１３としては、図４（ａ）等に示す板バネ１５を用いるのが好ましい。
【００２８】
この板バネ１５は、長尺の弾性金属板等を用いて、その両端部付近を傾斜状に折曲して傾斜部１５ａ、１５ａを設けると共に、各先端部１５ｂ、１５ｂを平状に折曲したものである。そして、中央の平坦部１５ｃにネジ穴（不図示）を設けて、支持部３にネジ２２で固定する。このような板バネ１５によれば、点検口蓋２の押圧又は解除によって傾斜部１５ａ、１５ａが上下方向に変形して伸縮することによって弾性を発揮する。なお、このような動作において、板バネ１５の各先端部１５ｂ、１５ｂは、点検口蓋２の下面を支持すると共に、傾斜部１５ａ、１５ａの変形の際に、点検口蓋２の下面に対して円滑に摺動することが可能である。
【００２９】
なお、板バネ１５の平坦部１５ｃの長さは、点検口枠１の長さによって設定すべきものであり、平坦部１５ｃを長くとり、両側の先端部１５ｂ、１５ｂの離間した幅を長く取ることによって、点検口蓋２の端部付近を安定した状態で支持することが可能となる。
【００３０】
また、板バネ１５の平坦部１５ｃに設けるネジ穴（不図示）及びネジ２２の数は図示の２個に限定されず、平坦部１５ｃの長さによって１個又は２個以上にしてもよい。さらに、この板バネ１５を支持部３に固定する手段としては、上記のネジ２２の他に接着剤、両面テープ等を用いて、平坦部１５ｃを支持部３の上面に固定するようにしてもよい。
【００３１】
ここで、弾性部材１３として、図４（ａ）の板バネ１５の他に、他の形状の板バネを用いた例を図５(ａ)〜(ｅ)に示す。なお、図５(ａ)〜(ｅ)の各図においては、図面を見やすくするために、板バネ１５Ａ〜１５Ｅと点検口枠１の支持部３と点検口蓋２とネジ２２のみを示す。
【００３２】
図５(ａ)の板バネ１５Ａは、図４（ａ）と同様の形状によるものであり、長尺の弾性金属等による板材を用いて折曲形成することにより、中央の平坦部１５ｃと、その上端付近の傾斜部１５ａ、１５ａと、両端部の先端部１５ｂ、１５ｂとを形成してなるものである。
【００３３】
また、図５(ｂ)の板バネ１５Ｂは、図５(ａ)の板バネ１５の平坦部１５ｃを分離して所定長さの平坦部１５ｄとしたものであり、この平坦部１５ｄと図５(ａ)に示すものと同様の傾斜部１５ａと先端部１５ｂとを有するものである。そして、夫々の板バネ１５Ｂを単独で、点検口枠１の支持部３の両端付近にネジ２２、接着剤又は両面テープ等で固定することにより取付ける。このような板バネ１５Ｂによれば、点検口枠１の一辺の長さが異なるものに対しても、一対の板バネ１５Ｂ、１５Ｂを用いて、夫々の取付け位置を調整することによって点検口蓋２を安定した状態で支持することが可能となる。
【００３４】
また、図５（ｃ）の板バネ１５Ｃは、図５(ａ)の板バネ１５Ａの傾斜部１５ａと先端部１５ｂの形状を湾曲形部１５ｅとしたものであり、両端の湾曲形部１５ｅ、１５ｅ間に平坦部１５ｃを有するものである。そして、中央の平坦部１５ｃにネジ穴（不図示）を設けて、ネジ２２で支持部３に固定するようにしたものである。この板バネ１５Ｃによれば、点検口蓋２の押圧又は解除によって板バネ１５Ｃの湾曲形部１５ｅ、１５ｅが上下方向に変形して伸縮することによって弾性を発揮することとなる。
【００３５】
また、図５（ｄ）の板バネ１５Ｄは、図５（ｃ）の板バネ１５Ｃの平坦部１５ｃを分離して所定長さの平坦部１５ｄとしたものであり、この平坦部１５ｄと図５（ｃ）と同様の
湾曲形部１５ｅを有し、一対の板バネ１５Ｃ、１５Ｃを単独で点検口枠１の支持部３の両端付近にネジ２２、接着剤又は両面テープ等で固定することによって取付けることができる。
【００３６】
また、図５(ｅ)の板バネ１５Ｅは、中央の平坦部１５ｃを短くとって、その両端に円弧形部１５ｆ、１５ｆを湾曲形成すると共に、両端に平坦形の先端部１５ｂを形成したものである。この板バネ１５Ｅによれば、点検口蓋２の押圧又は解除によって板バネ１５Ｅの湾曲形部１５ｆ、１５ｆが上下方向に変形して伸縮することによって弾性を発揮することとなる。
【００３７】
なお、本実施例においては、上記の板バネ１５Ａ〜１５Ｅの他に、図４（ｂ）に示すように、弾性部材１３として円筒形コイルバネ１６を用いてもよい。このコイルバネ１６は、金属製等による弾性線材を円筒形のコイル形状に形成したものである。そして、このコイルバネ１６を点検口枠１の支持部３の上面に固定した円柱片１６ａの外周に装着し、点検口蓋２の押圧又は解除によって上下方向に伸縮するようにしてもよい。なお、このような構成において、点検口枠１の所定の支持部３について離間した２箇所に円柱片１６ａ、１６ａを設け、各円柱片１６ａにコイルバネ１６を装着しているが、各支持部３について３箇所以上に円柱片１６ａを設け、コイルバネ１６を装着するようにしてもよい。
【００３８】
また、図４（ｃ）に示すように、弾性部材１３は円錐形コイルバネ１７であって、該コイルバネ１７の細径側に挿入したネジ１７ａを支持部３の上面から捩じ込んで固定した構成とし、点検口蓋２の押圧又は解除によって上下方向に伸縮するようにしてもよい。なお、このような構成においても、点検口枠１の所定の支持部３について離間した２箇所に円錐形コイルバネ１７をネジ１７ａで固定しているが、各支持部３について３箇所以上に円錐形コイルバネ１７をネジ１７ａで固定するようにしてもよい。
【００３９】
さらに、図４（ｄ）に示す弾性部材１３は、断面四角形を成す長尺のスポンジ１４を用いたものであり、このスポンジ１４の片面を支持部３の上面の略中央に接着剤や両面テープ等で固定したものである。なお、スポンジ１４は経年劣化が激しいものであるが、安価であって支持部３に対する固定作業を手軽に行えるため、他の弾性部材の補助として用いることも可能である。即ち、例えば、先に、点検口枠１の対向する２辺にスポンジ１４、１４を取付け、その後、他の２辺に板バネ１５、１５を取付けるというように、板バネ１５、１５等を取付ける際の補助として用いることも可能である。
【産業上の利用可能性】
【００４０】
本発明の点検口の開閉構造は、建物の壁面等に設けられた点検口を閉塞する点検口蓋の取付構造を簡単に構成すると共に、特別の道具を不要として簡単に点検口の開閉作業を行うことができ、この開閉作業の際に、点検口蓋や壁面を損傷したり、汚したりすることなく、壁面や点検口蓋の美観を確保することができる点検口の開閉構造として利用することが可能である。
【符号の説明】
【００４１】
１  点検口枠
２  点検口蓋
３  支持部
４  外側部
５  内側張出部
６  外側張出部
７  立上辺
８  ヒンジ部
９  開閉枠
１０  開口部
１１  フック部
１２  引掛部
１３  弾性部材
１４  スポンジ
１５  板バネ
１５ａ  傾斜部
１５ｂ  先端部
１５ｃ  平坦部
１５ｄ  所定長さの平坦部
１５ｅ  湾曲形部
１５ｆ  円弧形部
１５Ａ  板バネ
１５Ｂ  板バネ
１５Ｃ  板バネ
１５Ｄ  板バネ
１５Ｅ  板バネ
１６  円筒形コイルバネ
１６ａ  円柱片
１７  円錐形コイルバネ
１７ａ  ネジ
１８  コーナー板
１９  ネジ穴
２０  ネジ
２１  下地材
２２  ネジ
Ｗ  壁面
【図１】
2011144610.tif 000003
【図２】
2011144610.tif 000004
【図３】
2011144610.tif 000005
【図４】
2011144610.tif 000006
【図５】
2011144610.tif 000007
【手続補正書】
【提出日】平成22年1月20日(2010.1.20)
【手続補正１】
【補正対象書類名】図面
【補正対象項目名】全図
【補正方法】変更
【補正の内容】
【図１】
2011144610.tif 000008
【図２】
2011144610.tif 000009
【図３】
2011144610.tif 000010
【図４】
2011144610.tif 000011
【図５】
2011144610.tif 000012
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
壁面に設けられた開口部の内周縁に取付ける点検口枠と該点検口枠に着脱自在に取付ける点検口蓋とからなる点検口の開閉構造であって、
点検口蓋は点検口枠の開口部を閉塞する板部材からなり、
点検口枠は、該点検口枠の内周後端に沿って内側に張出した支持部と、該支持部の上面に固定して点検口蓋の周縁を弾性的に支持する弾性部材と、支持部の外周に沿って立ち上げられた外側部の途中に内側を向いて張出した内側張出部と、外側部の上端に沿って回動自在に取付けられたヒンジ部を支点として開閉動作する開閉枠とを有し、
該開閉枠を閉じることによって開閉枠の内周縁部で点検口蓋の周縁を弾性部材の弾性力に抗して押圧すると共に、開閉枠の内側に設けられたフック部を支持部に設けられた引掛部に引掛けて固定する点検口の開閉構造において、
弾性部材は円筒形コイルバネであって、該コイルバネを支持部の上面に固定した円柱片の外周に装着するようにしたことを特徴とする点検口の開閉構造。
【請求項２】
弾性部材は円錐形コイルバネであって、該コイルバネの細径側に挿入したネジを支持部の上面から捩じ込んで固定したことを特徴とする請求項１記載の点検口の開閉構造。
【手続補正２】
【補正対象書類名】明細書
【補正対象項目名】０００８
【補正方法】変更
【補正の内容】
【０００８】
上記の目的を達成するために、本発明における請求項１の点検口の開閉構造は、壁面に設けられた開口部の内周縁に取付ける点検口枠と該点検口枠に着脱自在に取付ける点検口蓋とからなる点検口の開閉構造であって、点検口蓋は点検口枠の開口部を閉塞する板部材からなり、点検口枠は、該点検口枠の内周後端に沿って内側に張出した支持部と、該支持部の上面に固定して点検口蓋の周縁を弾性的に支持する弾性部材と、支持部の外周に沿って立ち上げられた外側部の途中に内側を向いて張出した内側張出部と、外側部の上端に沿って回動自在に取付けられたヒンジ部を支点として開閉動作する開閉枠とを有し、該開閉枠を閉じることによって開閉枠の内周縁部で点検口蓋の周縁を弾性部材の弾性力に抗して押圧すると共に、開閉枠の内側に設けられたフック部を支持部に設けられた引掛部に引掛けて固定する点検口の開閉構造において、弾性部材は円筒形コイルバネであって、該コイルバネを支持部の上面に固定した円柱片の外周に装着するようにしたことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、本発明における請求項２の点検口の開閉構造は、請求項１において、弾性部材は円錐形コイルバネであって、該コイルバネの細径側に挿入したネジを支持部の上面から捩じ込んで固定したことを特徴とする。
【手続補正６】
【補正対象書類名】明細書
【補正対象項目名】００１２
【補正方法】削除
【補正の内容】